(57)【要約】【課題】コンポジットレジンを押し延ばし操作しても、コンポジットレジンの端部が歯面と離れないようにして治療技術の容易化及び治療時間の短縮を図ることができる歯科医療器具を提供することを課題とする。【解決手段】グリップ部１１０を備えた軸体１００の先端部に、コンポジットレジン４２０を歯面４００に充填操作するコンポジットレジン操作器具１であって、前記コンポジットレジン操作器具１は、前記軸体１００の先端部に、該軸体１００の軸方向に対し、軸支方向が異なるボールベアリング２３０を配設し、該ボールベアリング２３０に片持ち支持されて回転自由に軸支されるローラ軸３００を備えて構成する。【選択図】図１
2010240279.tif 000002
【特許請求の範囲】
【請求項１】
グリップ部を備えた軸体の先端部に、コンポジットレジンを歯面に充填操作するコンポジットレジン操作部を備えた歯科医療器具であって、
前記コンポジットレジン操作部は、
前記軸体の先端部に、該軸体の軸方向に対し、軸支方向が異なる軸受けを配設し、該軸受けに片持ち支持されて回転自由に軸支されるローラ軸を備えた
歯科医療器具。
【請求項２】
前記ローラ軸を交換可能に、前記ローラ軸を前記軸受けに着脱自在に設けた
請求項１に記載の歯科医療器具。
【請求項３】
前記ローラ軸を、
少なくとも該ローラ軸の先端側を円柱形状にした先端側端面の周縁部を充填操作用の周縁角部にした
請求項１または２に記載の歯科医療器具。
【請求項４】
前記ローラ軸の回転方向を一方向のみに回転させる一方向クラッチを備えた
請求項１乃至３の何れか１項に記載の歯科医療器具。
【請求項５】
前記ローラ軸とローラ形状が異なる別のローラ軸を、前記軸体の基端部に備えた
請求項１乃至４の何れか１項に記載の歯科医療器具。
【請求項６】
前記軸体の外周面上に配設される操作ボタンと、
前記操作ボタンを待機位置と操作位置との間で変位自由に支持する操作ボタン支持部と、
前記操作ボタンから前記コンポジットレジン操作部までの間を、前記軸体内を通して連携操作させる連携操作媒体と、
前記操作ボタンを前記待機位置から前記操作位置へと変位させることに基づき、前記連携操作媒体を連携操作させて前記コンポジットレジン操作部の回転を規制する回転規制機構を備えた
請求項１乃至５の何れか１項に記載の歯科医療器具。
【発明の詳細な説明】
【技術分野】
【０００１】
この発明は、歯科治療に用いられるコンポジットレジンを歯の咬合面や歯の周面等の治療部分に充填して修復する歯科医療器具に関する。
【背景技術】
【０００２】
近年、う蝕部や損傷部分等の歯の治療すべき部分に、歯質に近い樹脂製のコンポジットレジンを修復素材として充填することにより、歯を元の形状に修復する歯科治療技術が採用されている。
【０００３】
この歯科治療技術としては、図９（Ａ）に示すように、歯面９１のう蝕除去部等の損傷凹部９２に一塊のペースト状のコンポジットレジン９３を当てがった状態で、図９（Ｂ）に示すように、ペン型の医療器具９４の先端部をＬ形状に屈曲形成した操作部９５で、コンポジットレジン９３を押し込みながら歯面９１の横方向に押し延ばす操作を行っている。
【０００４】
ところが、修復に用いられるコンポジットレジン９３は高粘度のペースト状であるため、前記操作部９５を、例えば図９（Ｃ）に示すように、コンポジットレジン９３を上方から押圧しながら左側へと押し延ばすように移動させると、コンポジットレジン９３の全体は左側へと引っ張られて押し延ばされるが、このときコンポジットレジン９３に左向きの引張力Ｐ１が生じる。このため、コンポジットレジン９３の右側端部９３ａは歯面９１の損傷凹部９２と離れて浮き上がり、右側端部９３ａで接着不良が発生してしまう。
【０００５】
この結果、治療者は浮き上がった部分を上方から繰り返し何度も撫でつけるなどの押さえ付け操作、あるいは右側端部９３ａを押さえた状態で左側端部９３ｂを押し延ばすという複雑な操作を必要とし、コンポジットレジン９３を用いた治療技術に熟練を要していた。
【０００６】
同じく、損傷凹部９２の右側の修復に対しても左右対称に同様な浮き上がり現象が生じる。すなわち、図９（Ｄ）に示すように、治療者が操作部９５の向きを右向きに変えて、コンポジットレジン９３を上方から押圧しながら右側へと押し延ばすように操作部９５を右側へと移動させると、コンポジットレジン９３の全体は右側へと引っ張られて押し延ばされるが、このときコンポジットレジン９３に右向きの引張力Ｐ２が生じる。このため、コンポジットレジン９３の左側端部９３ｂは歯面９１の損傷凹部９２と離れて浮き上がり、左側端部９３ｂで接着不良が発生してしまう。
【０００７】
この結果、治療者は浮き上がった部分を上方から繰り返し何度も撫でつけるなどの押さえ付け操作、あるいは左側端部９３ｂを押さえた状態で右側端部９３ａを押し延ばすという複雑な操作を必要とし、コンポジットレジン９３を用いた治療技術に熟練を要していた。
【０００８】
このように、コンポジットレジン９３の端部９３ａ，９３ｂに対しては、押し延ばし操作毎に引張力Ｐ１，Ｐ２が発生して歯面９１に密着維持させることが難しくなる問題があり、修復作業に手間が掛かっていた。このため、治療者の負担が大きく、患者に対する治療時間が長くなっていた。
【０００９】
このようなことから治療時における作業効率の改善を図るため、コンポジットレジンを効率よく充填操作するための医療器具が提供されている。例えば、ペン型に持って使用される医療器具の先端部に、平面でなく、弧状や卵状などの曲面に形成したコンポジットレジン操作部が知られている(例えば特許文献１参照)。
【００１０】
しかし、コンポジットレジン操作部の形状を曲面形状にしても、コンポジットレジンを押圧しながら押し延ばす際に、押し延ばし方向への摩擦抵抗が高まったままの状態でコンポジットレジン操作部を動かし、さらにコンポジットレジンが高粘度状態を有しているためコンポジットレジンの全体が、押し延ばされる方向に引っ張られるという引張力が生じてしまう。このため、押し延ばし方向と反対側のコンポジットレジンの端部が、歯面から離れて浮き上がってしまう。したがって、コンポジットレジン操作部の外形状を変えるという工夫だけでは、引張力の発生を解消できないため歯面への密着操作に寄与せず、依然として歯科治療技術の負担が大きく、患者に対する治療時間が長引く原因になっていた。
【先行技術文献】
【特許文献】
【００１１】
【特許文献１】特開２００２−２０９９１３号
【発明の概要】
【発明が解決しようとする課題】
【００１２】
そこでこの発明は、歯面上でコンポジットレジンを押し延ばし操作しても、コンポジットレジンが歯面と離れて浮き上がらない押し延ばし操作ができる歯科医療器具を提供することを課題とする。
【課題を解決するための手段】
【００１３】
この発明は、グリップ部を備えた軸体の先端部に、コンポジットレジンを歯面に充填操作するコンポジットレジン操作部を備えた歯科医療器具であって、前記コンポジットレジン操作部は、前記軸体の先端部に、該軸体の軸方向に対し、軸支方向が異なる軸受けを配設し、該軸受けに片持ち支持されて回転自由に軸支されるローラ軸を備えた歯科医療器具であることを特徴とする。
【００１４】
他の実施態様として、前記ローラ軸を交換可能に、前記ローラ軸を前記軸受けに着脱自在に設けることができる。
【００１５】
他の実施態様として、前記ローラ軸を、少なくとも該ローラ軸の先端側を円柱形状にした先端側端面の周縁部を充填操作用の周縁角部にして構成することができる。
【００１６】
他の実施態様として、前記ローラ軸の回転方向を一方向のみに回転させる一方向クラッチを備えて構成することができる。
【００１７】
他の実施態様として、前記ローラ軸とローラ形状が異なる別のローラ軸を前記軸体の基端部に備えることができる。
【発明の効果】
【００１８】
この発明によれば、歯面の修復時に、接着されたコンポジットレジンが修復中に歯面から離れてしまうという不安定要素を解消した接着信頼性の高い修復ができる。このため、歯面に対する修復作業を簡単化して能率よく歯面の修復を施すことができる。この結果、治療者の作業負担の軽減及び患者に対する治療時間の短縮を図ることができる。
【図面の簡単な説明】
【００１９】
【図１】（Ａ）はコンポジットレジン操作器具を示す外観斜視図、（Ｂ）はコンポジットレジン操作器具を示す側面図。
【図２】ローラ軸の軸支構造を示す要部分解斜視図。
【図３】コンポジットレジン操作器具の使用状態を示す説明図。
【図４】ローラ形状の異なる他のローラ軸を示す要部斜視図。
【図５】（Ａ）は一方向クラッチ内蔵型のベアリングの内部構造を示す縦断面図、（Ｂ）は複合型のコンポジットレジン操作器具を示す斜視図。
【図６】（Ａ）は回転規制操作用の押しボタンを備えたコンポジットレジン操作器具を示す斜視図、（Ｂ）は操作者による押しボタンの押下操作状態を示す説明図。
【図７】（Ａ）は押しボタンの押下待機状態を示す要部拡大縦断面図、（Ｂ）は押しボタンの押下状態を示す要部拡大縦断面図。
【図８】図８は回転規制機構のローラ軸側を示す要部縦断面図。
【図９】従来のペン型の医療器具の使用状態を示す説明図。
【発明を実施するための形態】
【００２０】
以下、この発明の実施の形態を図面に基づいて説明する。図面は歯科医療器具用のコンポジットレジン操作器具を示し、このコンポジットレジン操作器具を用いて歯面の治療すべき部分にコンポジットレジンを充填操作する場合の実施形態を示す。
【実施例】
【００２１】
図１（Ａ）に表されるようにコンポジットレジン操作器具１は、細長い軸状のペン型を有しており、このペン型を有する軸体１００の先端に軸支部２００を有し、該軸支部２００を介して充填操作用のローラ軸３００を回転自由に軸支して構成している。
【００２２】
軸体１００は、軸方向中間部にグリップ部１１０を備えている。このグリップ部１１０は治療者がペン型に持ったときに指先が当たる部分となる軸方向中間部より先端側にかけて滑り止め用のローレット１１１加工を施している。さらに、グリップ部１１０から先端側にかけて細軸１２０を延出し、この細軸１２０の先端に軸支部２００を備えている。
【００２３】
細軸１２０は直棒ではなく、図１（Ｂ）に示すように、先端側での操作性の向上を図るために細く、しかもグリップ部１１０から先端側にかけて緩やかに湾曲させている。さらに、細軸１２０の軸方向中間部には、先端側での過度の押圧力を弾性変形して吸収回避する弾性変形許容溝１２１（図においては２列の周溝）を形成している。なお、細軸１２０は、軸体１００と一体形成した一体物でもよく、軸体１００の先端部に細軸１２０の基端部を圧入固定または螺着固定して連結するようにした別体構成に設けてもよい。
【００２４】
軸支部２００は、図２に拡大して示すように、細軸１２０の先端部に円形のベアリング取付孔２１０が貫通して開口された環状部２２０を有し、該環状部２２０のベアリング取付孔２１０にボールベアリング２３０を圧入固定して取り付け、該ボールベアリング２３０に回転自由に軸支されるローラ軸３００を抜け止め固定する抜止リング２４０を備えて構成される。
【００２５】
ボールベアリング２３０は、外輪２３１がベアリング取付孔２１０に圧入固定されて環状部２２０に取り付けられ、内輪２３２の軸孔２３３に後述するローラ軸３００を挿通させて回転自由に軸支する。
【００２６】
上述のローラ軸３００は、軸方向の一側に形成される操作軸部３１０と、軸方向の他側に形成される片持ち軸部３２０とから構成される。  
操作軸部３１０は、小径の円柱にて形成される回転軸部であり、歯の治療素材として用いられるコンポジットレジン４２０（図３参照）に回転可能に接触する。ことに、円柱の先端側端面の周縁部を充填操作用の周縁角部３１１に形成している。この周縁角部３１１はローラ軸３００の端面とローラ軸３００の外周面とが直角に接合する稜線部分であり、該周縁角部３１１を使うことでコンポジットレジン４２０を所望の形に形成することができる。具体的には、歯の特有な個々の凹凸咬合面の小窩裂溝、咬頭傾斜を形作るのに適している。
【００２７】
片持ち軸部３２０は、前記操作軸部３１０よりさらに小径の軸部であり、前記ボールベアリング２３０の軸孔２３３に挿通して軸支される挿通軸部３３０と、該挿通軸部３３０の先端部に形成されて前記抜止リング２４０を嵌合させる周溝３４０とを備えている。
【００２８】
そして、このローラ軸３００を軸支部２００に組み付ける際は、まず、ローラ軸３００の片持ち軸部３２０をボールベアリング２３０の軸孔２３３に挿通する。このとき、挿通された片持ち軸部３２０の一端側がボールベアリング２３０の他端面側より突出する。この突出した部位に周溝３４０が表れ、この周溝３４０にＣ形状の抜止リング２４０を嵌合させることで、ローラ軸３００は軸方向に対し、抜け止め固定される。これにより、ローラ軸３００は片持ち軸部３２０を介して軸支部２００に回転自由に軸支される。
【００２９】
さらに、ローラ軸３００は軸支部２００に着脱して交換可能に設けている。該ローラ軸３００を交換する際は、軸支部２００に片持ち支持されている片持ち軸部３２０の抜止リング２４０を外せば、片持ち軸部３２０をボールベアリング２３０の軸孔２３３より引き抜いて取り外すことができる。そして、新たなローラ軸を、前記ローラ軸３００を組み付けた手順にしたがって取り付ければよい。
【００３０】
このコンポジットレジン操作器具１は、金属製や樹脂製で構成することができるが、治療者がペン型に持った際に、ある程度の重みが得られる金属製で構成するのが好ましい。
【００３１】
このように構成されたコンポジットレジン操作器具１の使用状態を次に説明する。  
例えば、図３（Ａ）に示すように、歯面４００の咬合面が凹んだ損傷凹部４１０を修復する場合、治療者が損傷凹部４１０に一塊のペースト状のコンポジットレジン４２０を載せ、その上面に対し、コンポジットレジン操作器具１の先端に備えられているローラ軸３００を当てがって下向きに押圧する。
【００３２】
さらに、図３（Ｂ）に示すように、ローラ軸３００を下向きに押圧した状態で、該ローラ軸３００を横方向に往復回転移動させる。これにより、コンポジットレジン４２０は横方向に次第に押し広げられ、ローラ軸３００と接触対応した部分のみが押し広げられる。そして、ローラ軸３００の往復回転移動が繰り返されることで、ローラ軸３００と接触したコンポジットレジン４２０の上面は滑らかに均され、損傷凹部４１０の上面がコンポジットレジン４２０により所望の修復形状に覆われる。
【００３３】
ここで、ローラ軸３００がコンポジットレジン４２０に与える力の伝達状態を考察すると、該ローラ軸３００を下向きに押圧しながら横方向に回転移動させることで、ローラ軸３００はコンポジットレジン４２０に対して転がり接触し、同じ面が長く接触することがない。つまり、回転しないヘラ型などの操作部にあっては、横方向への摩擦抵抗が高まったままの状態でコンポジットレジン４２０を押し広げようとするのに対し、ローラ軸３００は横方向への摩擦抵抗が極めて小さい状態で移動することになる。
【００３４】
このローラ軸３００の回転特性により、ローラ軸３００の押圧力は回転接触部分のみがコンポジットレジン４２０に局部的に伝わり、コンポジットレジン４２０の表面が順に押圧されて押し広げられることになる。このため、コンポジットレジン４２０には水平方向の引張力が発生せず、コンポジットレジン４２０の非押圧部分はローラ軸３００からの影響を受けることがない。
【００３５】
したがって、図３（Ｃ）に示すように、ローラ軸３００により損傷凹部４１０の例えば左側端部４２２を押圧する時に、該ローラ軸３００を横方向に往復回転移動させると、ローラ軸３００に押圧されたコンポジットレジン４２０の左側部分のみが押し延ばされ、反対側の右側端部４２１に対しては引張力が発生せず、左側端部４２２のコンポジットレジン４２０の上面が滑らかに均されるとともに、コンポジットレジン４２０の下面は損傷凹部４１０の歯面４００に密着したままの状態で修復される。
【００３６】
同じく、損傷凹部４１０の右側に対しても左右対称に同様な充填操作を施して修復することができる。すなわち、図３（Ｄ）に示すように、ローラ軸３００により損傷凹部４１０の右側端部４２１を押圧する時に、該ローラ軸３０を横方向に往復回転移動させると、該ローラ軸３００に押圧されたコンポジットレジン４２０の右側部分のみが押し延ばされ、反対側の左側端部４２２に対しては引張力が発生せず、右側端部４２１のコンポジットレジン４２０の上面が滑らかに均されるとともに、コンポジットレジン４２０の下面は損傷凹部４１０の歯面に密着したままの状態で修復される。
【００３７】
さらに、高粘度状態にあるペースト状のコンポジットレジン４２０がローラ軸３００に付着しやすい状態にあっても、コンポジットレジン４２０にローラ軸３００が回転して接触する構成上、ローラ軸３００は同じ面がコンポジットレジン４２０に長く接触しないため、コンポジットレジン４２０がローラ軸３００に付着し難くなり、修復作業が一層容易になる。
【００３８】
このように、治療者はコンポジットレジン４２０の押し延ばし位置でローラ軸３００を繰り返し往復回転移動させるだけで、簡単に押し延ばし操作ができる。よって、コンポジットレジン４２０を損傷凹部４１０の隅々まで隙間なく押し広げて充填することができる。このため、ローラ軸３００に押圧されていない非押圧部分を上方から繰り返し何度も撫でつけるなどの押さえ付け操作、あるいはコンポジットレジン４２０の他側端部を押さえた状態での一側端部を押圧操作するという複雑な作業を省略できる。
【００３９】
この結果、歯面４００にコンポジットレジン４２０を充填操作する治療技術を容易化し、高度な熟練技術を要しなくなる。さらに、コンポジットレジン４２０の接着面は歯面４００に密着した状態が維持されるため修復不良のおそれもなくなり、充填精度の良い修復ができる。さらに、コンポジットレジン４２０の表面はローラ軸３００でなぞるだけで滑らかな仕上がり状態が得られる。
【００４０】
さらに、咬合面の小窩裂溝や咬頭傾斜を形作る場合であっても、ローラ軸３００の周縁角部３１１を使えば、容易に形作ることができる。この際も、周縁角部３１１の部分が回転しながらコンポジットレジン４２０に接触するため、ローラ軸３００は同じ部分がコンポジットレジン４２０に接触せず、またコンポジットレジン４２０を歯面４００から剥離するような操作力が加わらないので安定した修復作業ができる。
【００４１】
次に、前記円柱状のローラ軸３００と異なる他のローラ形状のローラ軸を図４に基づいて説明する。  
図４（Ａ）に示すローラ軸３５０は、基端側に小径の片持ち軸部３２０を有し、先端側に円錐形状の操作軸部３５１を有して構成している。操作軸部３５１は片持ち軸部３２０側から先端側にかけて先細となる円錐形状に形成している。  
このローラ軸３５０を用いて歯面を修復する場合は、操作軸部３５１が先細の円錐形状のため、ローラ軸３５０の先端が口腔内の細部まで行き届いた修復操作が可能になる。
【００４２】
図４（Ｂ）に示すローラ軸３６０は、基端側に小径の片持ち軸部３２０を有し、先端側に、片持ち軸部３２０と略同径で、該片持ち軸部３２０側から先端側にかけて先細となる極小円錐形状の操作軸部３６１を有して構成している。  
このローラ軸３６０を用いて歯面を修復する場合は、操作軸部３６１が先細の極小円錐形状であるため、ローラ軸３５０の先端が口腔内の細部まで行き届き、作業領域が限られた狭い口腔内で修復操作がし易くなり、より精密な仕上げ操作が可能になる。
【００４３】
図４（Ｃ）に示すローラ軸３７０は、基端側に小径の片持ち軸部３２０を有し、先端側に、片持ち軸部３２０と略同径で、該片持ち軸部３２０側から先端側にかけて同径のまま延出させた小径の操作軸部３７１を有して構成している。  
このローラ軸３７０を用いて歯面を修復する場合は、操作軸部３７１が小径の軸部であるため、前記操作軸部３１０（図２参照）に比べて口腔内の狭い部分での修復操作がし易くなり、歯面端部での精密な仕上げ操作が可能になる。
【００４４】
このようなローラ軸３５０，３６０，３７０を用意しておき、用途に応じて使い分けるようにすれば、歯面４００に対するきめ細かな修復が可能になり、信頼性の高い治療を実現できる。
【００４５】
次に、ローラ軸３００，３５０，３６０，３７０を、正逆転させるのではなく一方向のみに回転させる軸支構造について説明する。  
図５（Ａ）は一方向クラッチ内蔵型のベアリング５００を示し、この一方向クラッチ内蔵型のベアリング５００は内輪５１０と外輪５２０との間で囲まれる周面空間部５３０の周方向に複数の鋼球５４０と、複数のカムクラッチ５５０とを並列に内蔵している。そして、これらの共通空間となる周面空間部５３０の開放された一端面をリテーナ５６０で閉鎖し、他端面をシールドプレート５７０で閉鎖して構成している。
【００４６】
前記カムクラッチ５５０は、立方体状を有して複数個が前記周面空間部５３０の周方向に等分して配設されている。このカムクラッチ５５０の外周面に形成されているクラッチ爪５５１が外輪５２０の内周面に対向し、内輪５１０が正回転したときは、クラッチ爪５５１が正回転方向で作用しないため回転許容し、内輪５１０が逆回転しようとしたときは、該クラッチ爪５５１が外輪５２０の内周面に強接触して回転規制する一方向クラッチの役目を有している。
【００４７】
この一方向クラッチ内蔵型のベアリング５００を用いた場合は、ローラ軸３００の回転方向を一方向のみに制限することができる。そして、修復時にはローラ軸３００の回転操作によるコンポジットレジン４２０の押し延ばし方向が同一方向となり、同一方向のみの押し延ばしが適している細かな部分での操作に有効である。さらに、ローラ軸３００が逆方向に対し、非回転であるため、ローラ軸３００を非回転方向に移動させれば、該ローラ軸３００を軸体１００と一体物であるかのごとく使用できる。
【００４８】
次に、軸体にローラ軸を複数備えた複合型のコンポジットレジン操作器具１について説明する。  
この複合型のコンポジットレジン操作器具１は、図５（Ｂ）に示すように、軸体１００の先端部１３０に前記ローラ軸３００を備える以外に、軸体１００の基端部１４０に対しても別のローラ軸３５０（図４（Ａ）を参照）を備えて２つのローラ軸３００，３５０を対称形に配置して構成したものである。
【００４９】
このような複合型のコンポジットレジン操作器具１を用いれば、治療中に、該複合型のコンポジットレジン操作器具２の両端部を反転させて持ち替えるだけで、２種類のローラ軸３００，３５０を適宜使い分けて能率の良い治療ができる。
【００５０】
この際、軸体１００の両端部に対称形に配置される２つのローラ軸は用途に応じた種類のローラ軸を一組とし、最も適した組み合わせで配置構成するのが適している。
【００５１】
次に、ローラ軸３００の回転を一時停止させる回転規制機構６００を図６乃至図８を参照して説明する。  
前記回転規制機構６００は、押しボタン６１０と、押しボタン支持部６２０と、操作ワイヤ６３０と、ワイヤ進退機構６４０を備えて構成される。  
前記押しボタン６１０は、図６（Ａ）及び図６（Ｂ）にも示すように、軸体１００の外周面上に押下可能に突出して配設されるものであり、グリップ部１１０を持つ指先の近くとなる該グリップ部１１０の先端側に取り付けられている。
【００５２】
該押しボタン６１０は、図７に示すように、絶縁性の樹脂材で円柱形状に形成され、その上面が押下面として設けられ、周面に形成された摺動ガイド突起６１１が後述する押しボタン支持部６２０に摺動支持され、さらに下面に形成された上バネ座６１２とワイヤ連結片６１３とが同じく後述する押しボタン支持部６２０に支持される。
【００５３】
上述の押しボタン支持部６２０は、前記押しボタン６１０の取付位置と対応するグリップ部１１０の先端側に前記押しボタン６１０の円柱形状と対応する円形状の押しボタン取付穴６２１が開口されており、この押しボタン取付穴６２１の内周面の一部に前記押しボタン６１０の摺動ガイド突起６１１と凹凸対応して摺動ガイドするガイド溝６２２が形成されている。
【００５４】
さらに、押しボタン取付穴６２１の底面中央には下バネ座６２３が形成されている。この下バネ座６２３と前記上バネ座６１２との上下の対向面間に押しボタン復帰用のコイルバネ６２４を伸縮自由に介在させ、該コイルバネ６２４が圧縮された状態で介在されることにより、押しボタン６１０は通常、コイルバネ６２４が伸長しようとする付勢力を受けて、軸体１００の外方（図７においては上方）に向けて付勢突出した状態にある。
【００５５】
そして、押しボタン６１０が突出している押下待機位置(図７（Ａ）参照)から該押しボタン６１０が僅かに押し込まれた押下位置（図７（Ｂ）参照）までの押下ストローク長さで操作される。この押しボタン６１０に対する付勢圧は、図６（Ｂ）に示すように、指先Ｆで軽く押下操作できる程度に設定し、また指先Ｆで押下したときの操作感触が操作者に得られる程度の付勢圧に設定する。
【００５６】
また、押しボタン取付穴６２１の底面には、操作ワイヤ６３０を進退させるための逆Ｕ字形の山形突出部６２５を上向きに突出形成している。この山形突出部６２５は山形に突出した曲面であり、該山形の曲面に沿って後述する操作ワイヤ６３０が屈曲対応自由に配置される。
【００５７】
上述の操作ワイヤ６３０は、例えば金属線材あるいは樹脂線材を用いて構成することができる。この操作ワイヤ６３０は回転規制操作用の押しボタン６１０からローラ軸３００までの間を連結する連結媒体として備えられるものであり、押しボタン６１０が回転規制操作の入力側となり、ローラ軸３００が回転規制操作の出力側となり、これらの間を該操作ワイヤ６３０で連結して回転規制時の操作力を伝達する役目を有している。
【００５８】
操作ワイヤ６３０の基端側の連結は、図７に示すように、押しボタン６１０の下面に垂設しているワイヤ連結片６１３に操作ワイヤ６３０の基端部を固定して連結している。これにより、操作ワイヤ６３０の基端側が山形突出部６２５の上方に対向配置される。この操作ワイヤ６３０を連結した押しボタン取付穴６２１の空間部において、後述するワイヤ進退機構６４０の主要部が構成される。
【００５９】
上述のワイヤ進退機構６４０は、軸体１００と細軸１２０との中心部軸方向を細長く貫通したワイヤ挿通孔６４１に操作ワイヤ６３０を進退自由に挿通し、ここに挿通された操作ワイヤ６３０の基端部をワイヤ立ち上げ通路６２３を介して押しボタン６１０の下面に導き、該操作ワイヤ６３０の基端部を押しボタン下面のワイヤ連結片６１３に連結し、操作ワイヤ６３０の先端部（図８参照）をローラ軸３００の片持ち軸部３２０に連結して構成している。
【００６０】
前記操作ワイヤ６３０を進退させる構成として、押しボタン６１０の下面とその下方の押しボタン取付穴６２１の底面との間に形成される空間部において、操作ワイヤ６３０の基端側と、押しボタン取付穴６２１の底面に突出する前記山形突出部６２５とが上下に対向して配置されている。このため、押しボタン６１０が押下操作されると、図７（Ｂ）に示すように、操作ワイヤ６３０の基端側も下向きに移動し、該操作ワイヤ６３０の基端側が山形突出部６２５の山形曲面に沿って屈曲される。この屈曲作用により操作ワイヤ６３０は山形突出部６２５側に引っ張られる形で僅かに後退移動する。この操作ワイヤ６３０の進退移動により後述するローラ軸３００側での回転規制作用を生じさせる。
【００６１】
逆に、押しボタン６１０の押下操作が開放されて、押しボタン６１０が上動復帰すると、図７（Ａ）に示すように、操作ワイヤ６３０の屈曲していた基端側が山形突出部６２５と離れ、該操作ワイヤ６３０の基端側は屈曲状態から元の伸長した非屈曲形状に戻り、操作ワイヤ６３０は引張作用を受けなくなり、伸長状態に復帰して僅かに前進移動する。
【００６２】
このように、押しボタン６１０の押下操作に連動させて操作ワイヤ６３０を進退させるという操作機能を有する構成である。前記操作ワイヤ６３０の進退量は、前記山形突出部６２５の形状によって調整することができる。具体的には、該山形状の突出高さや曲面形状等を任意に設定することにより操作ワイヤ６３０の進退量を調整することができる。さらに、該山形状の頂部の曲面に凹溝状のワイヤガイド溝を形成すれば、該操作ワイヤ６３０を山形突出部６２５の曲面に沿って安定してガイドすることができる。
【００６３】
一方、図８に示すように、操作ワイヤ６３０の先端側の連結は、前記ワイヤ挿通孔６４１に挿通された操作ワイヤ６３０の先端部を、ローラ軸３００を軸支している片持ち軸部３２０の軸上に連結している。
【００６４】
前記操作ワイヤ６３０の先端部の連結に際しては、前記軸支部２００に開口されているベアリング取付孔２１０の内奥側にワイヤ取付空間部として隣接させた内周溝６５０を形成し、該内周溝６５０と対応するローラ軸３００の片持ち軸部３２０上にワイヤ取付空間部としての外周溝６６０を形成し、これらの内周溝６５０と外周溝６６０とで囲まれる周溝空間において、その内周溝６５０上に操作ワイヤ６３０の先端部分を巻き付けて連結する環状巻付部６３１を備えて構成している。
【００６５】
そして、操作ワイヤ６３０に引張力が加わらない無負荷状態である場合は、操作ワイヤ６３０の影響を受けないためローラ軸３００は回転自由である。これに対し、操作ワイヤ６３０に引張力が加わった場合は、操作ワイヤ６３０が引っ張られ、ローラ軸３００のワイヤ取り付け部分での摩擦抵抗を高めてローラ軸３００の回転を規制する回転規制動作させることができる。
【００６６】
前記操作ワイヤ６３０の先端側の連結に際して、前記軸支部２００は操作ワイヤ６３０の取付けスペース分だけ幅厚に設け、さらに操作ワイヤ６３０の取付性を考慮して細軸１２０と軸支部２００との間を着脱可能に分割して設けている。例えば、細軸１２０側の先端部に雄ネジ６７１を形成し、該細軸１２０の先端部と対応して接続される軸支部２００側に雌ネジ６７２を形成して螺着接続可能に設けている（図８においては分割した状態を示している）。
【００６７】
なお、軸支部２００は、図５（Ａ）で述べた一方向クラッチ付きのボールベアリング２３０が内蔵されており、ローラ軸３００を一方向のみ回転支持する同様の機能が備えられている。
【００６８】
次に、コンポジットレジン操作器具１の回転規制機構６００を使用する場合について説明する。  
治療される歯に付着させたコンポジットレジンに対し、コンポジットレジン操作器具１の先端に備えられているローラ軸３００を当てがって修復を行う。この際、前記歯を修復している作業中に、コンポジットレジンを任意の形状に加工するローラ軸３００の回転を一時的に止めることが要求される場合、例えばローラ軸３００の回転を止めてコンポジットレジンを除去したい場合などである。
【００６９】
このような場合に、治療者は治療器具を取り替えることなくコンポジットレジン操作器具１を持ったまま、その指先Ｆで押しボタン６１０を押下すると、この押しボタン６１０の押下により、操作ワイヤ６３０が引っ張られる。これにより、ローラ軸３００は操作ワイヤ６３０との接触圧が高められて回転が規制され、あたかも軸体に１００に固定された円柱軸のごとく使用することができる。
【００７０】
したがって、押しボタン６１０を押している間はローラ軸３００の回転を規制した状態で使用することができる。また、押しボタン６１０を押している指先Ｆを離せば、押しボタン６１０が元の押下待機位置に復帰し、操作ワイヤ６３０も引張作用がなくなり、直ちにローラ軸３００の回転規制が解除される。
【００７１】
このように、治療者がコンポジットレジン操作器具１の押しボタン６１０を押下操作または開放操作することで、ローラ軸３００の回転を任意に止めることができ、ローラ軸３００の回転規制と回転許容とを自由に選択して使い分けることができる。このため、修復機能の高い器具として使用することができ、１つのコンポジットレジン操作器具１で複数の異種器具の機能を有する多機能の器具として扱うことができる。
【００７２】
さらに、押しボタン６１０の位置はコンポジットレジン操作器具１を持った指先Ｆの近傍にあるため容易に押下操作することができる。この結果、治療者はコンポジットレジン操作器具１を用いて歯を修復する際に、コンポジットレジン操作器具１を持ち替えることなく、指先Ｆの操作でローラ軸３００の動きを自由に切換えて修復作業能力を確実に高めることができる。
【００７３】
なお、上述の実施例では押しボタン６１０からローラ軸３００までの間を操作ワイヤ６３０を用いて連結させる構成例を示したが、これに限らず他の手段にて連携操作させてもよい。例えば、押しボタン６１０からローラ軸３００までの間をつなぐ軸体１００の内部通路に操作媒体としての液体を注入し、押しボタン６１０の押下操作の動きに、前記注入されている液体を移動させて加圧変動させることによってローラ軸３００の回転を規制、解除させるようにしてもよい。また、押しボタン６１０ではなく、スライド型の操作ボタンを用いて構成することもできる。
【００７４】
上述のように、歯面に対する充填要請に際して、ローラ軸３００でコンポジットレジン４２０を押圧しながら回転移動させて充填させるという特有な充填機能をローラ軸３００に持たせているため、コンポジットレジン４２０はローラ軸３００と接触した部分のみが押圧され、ローラ軸３００の回転移動方向に順に押し広げられることになる。このため、ローラ軸３００に押圧されていない他の非押圧部は引張力が生じず、非押圧部が歯面４００と離れる心配がなくなる。この結果、修復不良のおそれがなくなり、また複雑な操作を要しないため治療技術が容易化し、常に充填精度の良い修復ができる。
【００７５】
さらに、ローラ軸３００の回転を規制することができる押しボタン６１０を備えた場合は、コンポジットレジン操作器具１による修復技術が高機能化して修復作業が一層安定する。
【００７６】
この発明の構成と、上述の実施例の構成との対応において、この発明は上述の実施例の構成に限定されるものではなく、請求項に記載される技術思想に基づいて応用することができる。
【００７７】
例えば、上述の実施例ではコンポジットレジン操作器具１，２のグリップ部１１０を細長く形成したペン型を示したが、これに限らず、グリップ部を太くして握りやすい形状に設けることができる。さらに、グリップ部１１０を細軸１２０程度に、より細くして指先での操作性をより一層高め得る形状に設けてもよい。
【産業上の利用可能性】
【００７８】
歯面にコンポジットレジンを充填操作して修復する歯科医療器具の全般。
【符号の説明】
【００７９】
１…コンポジットレジン操作器具
１００…軸体
２００…軸支部
２３０，５００…ベアリング
３００，３５０，３６０，３７０…ローラ軸
３１１…周縁角部
４００…歯面
４２０…コンポジットレジン
５５０…カムクラッチ
６００…回転規制機構
６１０…押しボタン
６２０…押しボタン支持部
６３０…操作ワイヤ
６４０…ワイヤ進退機構
【図１】
2010240279.tif 000003
【図２】
2010240279.tif 000004
【図３】
2010240279.tif 000005
【図４】
2010240279.tif 000006
【図５】
2010240279.tif 000007
【図６】
2010240279.tif 000008
【図７】
2010240279.tif 000009
【図８】
2010240279.tif 000010
【図９】
2010240279.tif 000011